Podtech/llm-jp-corpus-v4-ja_patent huggingface dataset:
(57)【要約】【課題】首・肩・胸・背面・腹部等の筋力トレーニングすることにより、筋力低下に起因する肩こり・背中の張り・腰痛等の予防運動ができる運動器具を提供する。【解決手段】軽量、剛構造の五角形アルミパイプフレーム構造とした運動器具。【選択図】    図１
2005013671.tif 000002
【特許請求の範囲】
【請求項１】
人体肩幅と同等の直辺長を有する五角形パイプフレーム剛構造を特徴とし、五角形状により体格差及び運動の種類で生じる適切なポジションの変位に対応可能とした、多様な運動ができる運動器具。
【発明の詳細な説明】
【０００１】
【発明が解決しようとする課題】
上腕筋・三角筋・大胸筋・胸鎖乳突筋・僧帽筋・広背筋・腹筋等の部位を容易に筋力トレーニングするための運動方法及び構造形式。
【０００２】
【課題を解決するための手段】
上記課題を解決するために、人体を包囲できる環形状とし、運動に適する直辺及び角度を有する五角形とすると共に、アルミパイプフレーム構造により軽量且つ剛構造を兼ねた運動器具とした。
【０００３】
【発明の作用効果】
首・肩・胸・背面・腹部等の筋力トレーニングすることにより、筋力低下に起因する肩こり・背中の張り・腰痛等の予防運動ができる。
【図面の簡単な説明】
【図１】この発明、五角形パイプフレーム運動器具の平面図である。
【図２】この発明、五角形パイプフレーム運動器具の断面図である。
【図３】この発明、五角形パイプフレーム運動器具の実施使用例（首の筋肉その１：五角形パイプフレーム運動器具の直辺部外側に額を押し当て、押圧・反発運動をする）平面図である。
【図４】この発明、五角形パイプフレーム運動器具の実施使用例（首の筋肉その１：五角形パイプフレーム運動器具の直辺部外側に額を押し当て、押圧・反発運動をする）側面図である。
【図５】この発明、五角形パイプフレーム運動器具の実施使用例（首の筋肉その２：五角形パイプフレーム運動器具の鋭角部内側に頭を挟め、後頭部・側頭部を押圧・反発運動をする）平面図である。
【図６】この発明、五角形パイプフレーム運動器具の実施使用例（首の筋肉その２：五角形パイプフレーム運動器具の鋭角部内側に頭を挟め、後頭部・側頭部を押圧・反発運動をする）側面図である。
【図７】この発明、五角形パイプフレーム運動器具の実施使用例（胸・背面の筋肉：五角形パイプフレーム運動器具の任意部を握り弓を引くようにかまえ、引っ張るまたは押す）正面図である。
【図８】この発明、五角形パイプフレーム運動器具の実施使用例（背面の筋肉：五角形パイプフレーム運動器具の任意部を握り背中を洗うようにかまえ、上下に引っ張るまたは押す）背面図である。
【図９】この発明、五角形パイプフレーム運動器具の実施使用例（腹筋：五角形パイプフレーム運動器具の直辺を肩に当て仰向けに寝て対角辺を両手で握り突っ張った状態で、腹筋運動をする）側面図である。
【図１０】この発明、五角形パイプフレーム運動器具の実施使用例（腹筋：五角形パイプフレーム運動器具の直辺を肩に当て仰向けに寝て対角辺を両手で握り突っ張った状態で、腹筋運動をする）平面図である。
【図１１】この発明、五角形パイプフレーム運動器具の実施使用例（バランス運動：仰向けに寝て五角形パイプフレーム運動器具の直辺を両足裏で押さえ対角辺を両手で握り臀部を支点としてＶ字形に静止、バランス運動をする）側面図である。
【図１２】この発明、五角形パイプフレーム運動器具の実施使用例（背筋：五角形パイプフレーム運動器具の直辺を床に置き両足で踏み対角辺を両手で握り引っ張る事により、背筋運動をする）側面図である。
【図１３】この発明、五角形パイプフレーム運動器具の実施使用例（マッサージ：五角形パイプフレーム運動器具をタスキ状に担ぎ対角辺を両手で握り突っ張る事により背中に当たる直辺に押圧力を加え、背筋を伸ばすまたは肩をマッサージする）側面図である。
【図１４】この発明、五角形パイプフレーム運動器具の実施使用例（マッサージ：五角形パイプフレーム運動器具をタスキ状に担ぎ対角辺を両手で握り突っ張る事により背中に当たる直辺に押圧力を加え、背筋を伸ばすまたは肩をマッサージする）背面図である。
【符号の説明】
１  ウレタンスポンジ被覆アルミパイプフレーム
２  体格差及び運動の種類で生じるポジション変位の調整範囲
３  アルミパイプフレーム
４  ウレタンスポンジ被覆
５  腹筋運動範囲
【図１】
2005013671.tif 000003
【図２】
2005013671.tif 000004
【図３】
2005013671.tif 000005
【図４】
2005013671.tif 000006
【図５】
2005013671.tif 000007
【図６】
2005013671.tif 000008
【図７】
2005013671.tif 000009
【図８】
2005013671.tif 000010
【図９】
2005013671.tif 000011
【図１０】
2005013671.tif 000012
【図１１】
2005013671.tif 000013
【図１２】
2005013671.tif 000014
【図１３】
2005013671.tif 000015
【図１４】
2005013671.tif 000016
(57)【要約】【課題】スポンジたわしを収納するためのスポンジラックは、シンク回りに取り付けるため、シンクを狭くし何かと不便があった。又ラックや、取り付けられたラック周りの水垢汚れの掃除にも余分な手間がかかった。吸盤を取り付けたスポンジたわしは、それらの欠点をのぞくために考案した。【解決の手段】スポンジたわし（１）にビニールテープ（２）の片方を両面カシメ（３）にて取り付けるビニールテープ（２）の他の一方に吸盤（４）の内側よりカシメ釘（５）を挿通し、リンプ（６）を介してビニールテープに取り付けたことを特徴とする。【選択図】  図１
2005013680.tif 000002
【特許請求の範囲】
【請求項１】
スポンジたわし（１）にビニールテープ（２）の片方を両面カシメ（３）にて取り付け固定し、ビニールテープ（２）の他の一方に吸盤（４）の内側よりカシメ釘（５）を挿通し、リンプ（６）を介してビニールテープに取り付けた吸盤を取り付けたスポンジたわし。
【発明の詳細な説明】
【０００１】
【発明の属する技術分野】
この発明は、吸盤を用いてスポンジたわしを、キッチンのシンクの壁面に収納することに関するものである。
【０００２】
【従来の技術】
従来よりスポンジたわしは、食器の洗浄等に用いられているが、使用後のスポンジたわしの収納に、スポンジラック等が用いられている。
【０００３】
【発明が解決しようとする課題】
これには次のような欠点があった。
イ．スポンジたわしは、使用後の絞った後も水滴が落ちるために、収納用のスポンジラックは、主にシンクの壁面に取り付けられていた。  その結果、シンク回りが狭められ何かと差し支えることがあった。
ロ．シンク回りは水垢で汚れやすく、又水垢の汚れは取れにくく、スポンジラックの水垢の汚れを掃除するのに、余分の手間を掛けていた。
本発明は以上の欠点を解決するためになされたものである。
【０００４】
【課題を解決するための手段】
スポンジたわし（１）にビニールテープ（２）の片方を、両面カシメ（３）にて取り付け、ビニールテープ（２）の他の一方に、吸盤（４）の内側よりカシメ釘（５）を挿通しリンプ（６）を介してビニールテープに取りつけた。
本発明は以上の構成によりなる吸盤を取り付けたスポンジたわしである。
【０００５】
【発明の実施の形態】
以下、本発明の実施の形態を説明する。
（イ）ビニールテープ（２）は厚さ２ｍｍの透明ビニールを用い、幅２ｃｍ〜２、５ｃｍ長さ５ｃｍ〜６ｃｍのテープ状にする。
（ロ）スポンジたわし（１）の端部と、上記ビニールテープ（２）の一方の端部とを両面カシメ（３）頭部の大きさ１ｃｍ〜１、５ｃｍ  足の長さ１ｃｍ〜１、５ｃｍのものを用いてカシメ固定する。
（ハ）上記ビニールテープ（２）の片方の端部に、吸盤（４）直径２、５ｃｍのものを用いて内側から頭部５ｍｍのカシメ釘（５）を挿通し、リンプ（６）を介してカシメ止めする。
本発明は以上の構成よりなっている。
本発明を使用するときには、キッチンのシンクの壁面に吸盤を吸着して、スポンジたわしを収納する。
因に図面には、ネットを被せたスポンジたわしを提示しているが、食器類を洗浄するスポンジたわしは種類は色々あるが、この考案の請求項にあげた方法でどのスポンジたわしにも適応できる。
【０００６】
【発明の効果】
（イ）本発明を使用することによって、今までスポンジたわしを収納するのにスポンジラックを必要としたが、本発明を使用することでラックが不要となり、吸盤をシンクの壁面に直接着脱することで、シンク回りが広く利用できるようになった。
（ロ）シンク回りは水垢の汚れが付き易く、今まではシンクに取り付けたスポンジラックの、水垢等の汚れを取るのに余分に作業が必要であったが、スポンジたわしを直接シンクに着脱できるので、シンク回りの後片付けが省力化され、又清潔になった。
【図面の簡単な説明】
【図１】本発明の平面図
【図２】本発明の断面図
【符号の説明】
１  スポンジたわし
２  ビニールテープ
３  両面カシメ
４  吸盤
５  カシメ釘
６  リンプ
【図１】
2005013680.tif 000003
【図２】
2005013680.tif 000004
(57)【要約】【課題】フライパンなどを使って料理をする時、料理をあおるという作業が必要であるが、それをしなくても同じ効果ができる調理器具をつくる。【解決の手段】へらなどの調理器具で、その先端と中央に穴が開いており、その穴は柄までつながっており、柄には電動のファンが付いており、そこから空気を送る仕組みになっている。これによって、調理中に料理に空気を送ることができ、料理を乾燥させることかせできる。また、へらは柄にねじこめるようになっており、また、中心から縦に分割でき、へらの穴も中から清掃できるようになっている。【選択図】  図１
2005013677.tif 000002
【特許請求の範囲】
【請求項１】
へらなどの調理器具の先端と中央に複数の穴があいており、そこに柄の方に付けてある電動ファンから空気が送られてくる穴があり、調理している物を乾燥させながら調理できる調理器具。
【請求項２】
へらは柄にねじこんで装着できるようになっており、へらの中心から縦に分割できることで空気を送る穴も清掃できるようになっていること。
【発明の詳細な説明】
【０００１】
【発明の属する技術分野】
本発明は、調理器具のへらに関するものである。
【０００２】
【従来の技術】
一枚の板をへらの形に切った物である。
【０００３】
【発明が解決しようとする課題】
チャーハンなどの中華料理を作るにはフライパンで炒める時にフライパンをあおらなければならないが、この作業は普通の人間には難しい。あおらなくてもこのような料理ができるようにすること。
【０００４】
【課題を解決するための手段】
へらの先端と中央から空気を送り料理を乾燥させながら調理できるようにする。
【０００５】
【発明の実施の形態】
へらなどの調理器具の先端と中央に穴が開いており、その穴は柄までつながっており、柄には電動のファンが付いており、そこから空気を送る仕組みになっている。これによって、調理中に料理に空気を送り、それを乾燥させることかせできる。また、へらは柄にねじこんで装着できるようになっており、また、中心から縦に分割でき、へらの穴も中から清掃できるようになっている。
【０００６】
【実施例】
へらの７先端と８中央に穴が開いており、それは３柄までつながっており、３柄には電動の４ファンが付いており、そこから空気を送る仕組みになっている。これによって、調理中に料理に空気を送り、乾燥させることかせできる。また、へらは１上面と２下面に分割でき３柄にねじこめるようになっており、へらの穴も中から清掃できるようになっている。９へらの先端を止める突起物と６ねじ部分によって１へらの上面と２へらの下面は頑丈に固定されることができる。
【０００７】
【発明の効果】上述のように、へらの先端と中央から空気が出ているので、調理をしている物を乾燥させ、べたつかせないのでチャーハンなどの料理はあおらなくても料理ができる。
【図面の簡単な説明】
【図１】送風機付調理器具の上から見た図
【図２】送風機付調理器具の横から見た断面図
【図３】送風機付調理器具のへらを分割して見た斜面図
【符号の説明】
１  へらの上面
２  へらの下面
３  柄
４  ファン
５  電池
６  ねじの部分
７  へらの先端の穴
８  へらの中央の穴
９  へらの先端を止める突起物
１０  モーター
１１  空気取り入れ口
【図１】
2005013677.tif 000003
【図２】
2005013677.tif 000004
【図３】
2005013677.tif 000005
(57)【要約】【課題】ゴルフボールの重さが直接、ティーを伝わって地面とに抵抗力が発生してしまいゴルフボールの飛距離がおちてしまっていた。【解決手段】ゴルフティー（１）にボール受け部（２）とティー先端部（３）の間にマグネット（４）を取り付けたことを特徴とする。【特許請求の範囲】
【請求項１】
ゴルフティー（１）のボール受け部（２）及びティー先端部（３）の頭部に、マグネット（４）をとりつけたゴルフティー器具。
【発明の詳細な説明】
【０００１】
【発明の属する技術分野】
この発明は、ボール受け部（２）とティー先端部（３）の頭部にとりつけたマグネット（４）のプラスとプラス及びマイナスとマイナスのマグネットの反発力によってゴルフボールの重さを、ティーの先端の地面に直接伝わらなくし、ボール受け部（２）とティー先端部（３）の頭部の間で抵抗力を緩和してゴルフボールの飛距離をのばすために関するものである。
【０００２】
【従来の技術】
従来、ゴルフボールをティーの上において、地面に差し込んで使うことによりゴルフボールの重さが直接、ティーを伝わって地面とに抵抗力が発生してしまいゴルフボールの飛距離がおちてしまっていた。
【０００３】
【発明が解決しようとする課題】
これは次のような欠点があった。
ゴルフボールの重さが直接、ティーを伝わって地面とに抵抗力が発生してしまいゴルフボールの飛距離がおちてしまっていた。
本発明は、以上の欠点を解決するために発明されたものである。
【０００４】
【課題を解決するための手段】
ゴルフティー（１）にボール受け部（２）とティー先端部（３）の間にマグネット（４）を取り付ける。
本発明は、以上の構成よりなるゴルフティーである。
【０００５】
【発明の実施の形態】
以下、本発明の実施の形態について説明する。
（イ）  ゴルフティー（１）のゴルフボールをのせるためのボール受け部（２）にマグネット（４）をとりつける。
（ロ）  ゴルフティー（１）の地面にさしこむためのティー先端部（３）の頭部にマグネット（４）をとりつける。
（ハ）  ゴルフティー（１）のボール受け部（２）をティー先端部（３）の頭部にとりつける。
本発明は、以上の構成よりなっている。
本発明を使用するときは、ゴルフティー（１）のボール受け部（２）とティー先端部（３）を一体にして使用する。
【０００６】
【発明の効果】
本発明を使用することによって、ゴルフティーの先端にゴルフボールの重さが伝わらなくなり地面との抵抗力が発生しなくなるためゴルフボールの飛距離をのばすことができる。
【図面の簡単な説明】
【図１】本発明の斜視図
【図２】本発明の分解斜視図
【図３】本発明の断面図
【符号の説明】
１  ゴルフティー
２  ボール受け部
３  ティー先端部
４  マグネット
【図１】
2005013675.tif 000002
【図２】
2005013675.tif 000003
【図３】
2005013675.tif 000004
(57)【要約】【課題】本発明はコースターに癒しを求める現代人たちを満足させることを目的とし、安価で高級感を味わえるよう光の反射を利用している【解決手段】コースターに７色の光を発するＬＥＤを取り付け反射板にて反射させることによりグラス全体を輝かせるものである【選択図】  図１
2005013676.tif 000002
【特許請求の範囲】
【請求項１】
７色の光を発するＬＥＤを使用する
【請求項２】
コースターの厚みを６ｍｍ以下とする
【請求項３】
コースターの中央部に３０ｍｍのおわん型の溝を設ける
【請求項４】
溝上部に円形１３ｍｍ（中央部に４ｍｍの穴有り）の反射シールを貼り付ける
【発明の詳細な説明】
【０００１】この発明はグラス等の下にひくコースターに７色の光を発するＬＥＤを取り付け綺麗に輝くようにしたものである
【発明の属する技術分野】
【０００２】従来のコースターはグラス等の水滴によるテーブルの汚れの除去が本来の目的であるが、このコースターが７色の光を発することにより、グラスとのコントラストを綺麗にし、高級感を味わえる器具を提供する
【従来の技術】
【０００３】従来のコースターにおいては単色ＬＥＤを使用しており、光の反射をコースター本体に設けていない。
【特許文献１】特開８−１４０８１２
【発明が解決しようとする課題】
【０００４】本発明はコースターに癒しを求める現代人たちを満足させることを目的とし、安価で高級感を味わえるよう光の反射を利用している
【課題を解決するための手段】
【０００５】コースターに７色の光を発するＬＥＤを取り付け反射板にて反射させることによりグラス全体を輝かせるものである
【発明の実施の形態】
【０００６】コースター内に７色ＬＥＤ及びそれを点滅させる回路を組込み、厚さ６ｍｍ以内に抑える。又底にスイッチをつけることでグラスの重みにより作動するしくみにし、電源は小型の電池とする。
【実施例】
【０００７】実施例について図面を参照して説明すると、図１において、透明なプラスチック製上ケース１の中央部に円形（中央部に穴有）の反射シール２を貼り付ける。上部の中央におわん型の溝を施したプラスチック本体５に電池７と下向きスイッチ６、溝にＬＥＤ４を配線で繋ぎ取り付ける。この上に模様を施したアクリル板３を被せる。最後にプラスチック製下ケース８とプラスチック製上ケース１をはめ込む。
【発明の効果】
【０００８】本考案は以上のような構造で、これを使用する時グラスを置くだけで７色に綺麗に光り出し、高級感ある雰囲気を作り出すことができる。
【図面の簡単な説明】
【図１】本発明を示した組立図である。
【符号の説明】
１上ケース
２反射シール
３アクリル板
４ＬＥＤ
５本体
６スイッチ
７電池
８下ケース
【図１】
2005013676.tif 000003
【手続補正書】
【提出日】平成15年7月4日(2003.7.4)
【手続補正１】
【補正対象書類名】明細書
【補正対象項目名】請求項１
【補正方法】変更
【補正の内容】
【請求項１】
７色の光を発するＬＥＤを使用する、及び削って（９ｍｍのＬＥＤの上部４．５ｍｍ下部２ｍｍを削る）使用する
【手続補正２】
【補正対象書類名】図面
【補正対象項目名】図１
【補正方法】変更
【補正の内容】
【図１】
2005013676.tif 000004
【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
７色の光を発するＬＥＤを使用する、及び削って（９ｍｍのＬＥＤの上部４．５ｍｍ下部２ｍｍを削る）使用する。
【請求項２】
コースターの厚みを６ｍｍ以下とする。
【請求項３】
コースターの中央部に３０ｍｍのおわん型の溝を設ける。
【請求項４】
溝上部に円形１３ｍｍ（中央部に４ｍｍの穴有り）の反射シールを貼り付ける。
【請求項５】
使用するしＥＤは薄型で、全高４ｍｍ以下とする。
【請求項６】
色付のアクリル板又は塩ビ板を使用することにより、回りが反射し綺麗な光を発する。
【請求項７】
デザインシート及びホログラムシートは円形で外径９０ｍｍ、中央部に内径３０ｍｍの穴有を使用する。
【請求項８】
上面のポリカーボネート板を取り外すことにより、デザインシート・ホログラムシート・薄型ボタン電池及びおわん型反射板が交換可能となる。
【請求項９】
円形で外径９０ｍｍ、中央部に内径３０ｍｍの穴有防水ゴムシートを使用することで防水加工が施されている。
【請求項１０】
中央部のおわん型反射板に模様を付け、交換可能とすることでいろいろな種類の光を発する。
【請求項１１】
本体底にあるスイッチは、樹脂製のゴムを貼り付けることにより防水加工が施されている。
【請求項１２】
スイッチは厚さ３ｍｍの薄型で、重量に反応する板バネ接点式としている。
【手続補正２】
【補正対象書類名】明細書
【補正対象項目名】０００７
【補正方法】変更
【補正の内容】
【０００７】実施例について図面を参照して説明すると、図１において、ポリカーボネート板１の中央部に反射シール２を貼り付ける。中央におわん型溝を施したプラスチック又は木製本体９におわん型反射板５、薄型ボタン電池８を２個、薄型重量接点式スイッチ７をはめ込み、中央部に全高４ｍｍ以下の薄型ＬＥＤ６を配線で繋ぎ取り付ける。最後にポリカーボネート板１とプラスチック又は木製本体９の間にデザインシート又はホログラムシート３と防水ゴムシート４をはさみ、はめ込む。プラスチック又は木製本体９には薄型ボタン電池８とデザインシート又はホログラムシート３及びおわん型反射板５を交換する際に使用する取り外し穴１０を施している。
【発明の効果】


【手続補正３】
【補正対象書類名】明細書
【補正対象項目名】符号の説明
【補正方法】変更
【補正の内容】
【符号の説明】
１．ポリカーボネート板
２．反射シール
３．デザインシート又はホログラムシート
４．防水ゴムシート
５．おわん型反射板
６．全高４ｍｍ以下の薄型ＬＥＤ
７．薄型重量接点式スイッチ
８．薄型ボタン電池
９．プラスチック又は木製本体
１０．取り外し穴


【手続補正４】
【補正対象書類名】図面
【補正対象項目名】図１
【補正方法】変更
【補正の内容】
【図１】
2005013676.tif 000005
(57)【要約】【課  題】従来のゴルフ練習方法では、練習者自身が自身の感覚と実際との相違をリアルタイムで認識することが難しかった。これは鏡などで行うことは僅かながら可能であるが、顔をずらすため打球位置が視野から外れてしまうからである。【解決手段】打球しようとするゴルフボール直近に設置されたディスプレイに、正面及び側面又はそのどちらかに設置された電子カメラからの画像を画面上に表示し、練習者自身の思い描くスイング軌道、手首の位置、コックの状態、等々を自身の目で見据えながらスイング動作を行う。その画像は直後にはディスプレイ上で、時間経過後は磁気テープなどの記憶媒体により練習場所以外でも再生できる。【選択図】図１
2005013673.tif 000002
【特許請求の範囲】
【請求項１】
ゴルフ練習者を電子カメラで撮影し、その画像をゴルフボール直近に設置されたディスプレイ上に表示し、練習者がリアルタイムに自身のスイングを確認しながら打球できるゴルフ練習装置。
【請求項２】
ディスプレイには、練習者の正面及び側面、又はそのいずれかの画像が表示され、練習者が欲する画像が選択できる機能を有する請求項１のゴルフ練習装置。
【請求項３】
ディスプレイは録画機能を有し、打球後の練習者自身の画像の再生を行い、且つその画像を記憶媒体にて取り出し持ち運びすることの可能な請求項１のゴルフ練習装置。
【発明の詳細な説明】
【０００１】
【発明の属する技術分野】
本発明は、ゴルフ技術の向上を図った練習装置に関する。
【０００２】
【従来の技術】
従来の練習装置としては、練習者自身をビデオカメラに撮影録画し、後にそれを再生し、自身及び第三者がその技術評価をする装置は一般的に存在する。更に鏡などを利用する方法も存在する。
【０００３】
しかし次のような問題点が存在するために、ゴルフ技術の向上には不十分であると考えられる。
【０００４】
録画後の再生では僅かな時間の経過でも、練習者自身の感覚と画像上の実際との差を認識として保持し、次の打球時に反映させることは容易ではない。鏡などによる方法はその点リアルタイムに自身の状況を見ることは可能だが、例えば側面からの自身を確認する場合は、顔を打球の位置から９０度近く回転しておく必要があるので打球位置は殆んど視野に入らない。
【０００５】
【発明が解決しようとする課題】
以上に述べた一般的な方法では、正しい打球位置を見据えながら、練習者自身の思い描くスイング軌道、手首の位置、コッキングの状態、頭の位置等々を確認することはできない。
【０００６】
本発明は、従来の方法では得られなかった、正しい打球位置直近を見据えながら、リアルタイムに自身の動作を確認修正し、ゴルフ技術の向上を実現することを目的とするものである。
【課題を解決するための手段】
本発明は、上記目的を達成するために、練習者自身の正面及び側面、またはそのいずれかに設置された電子カメラにより得られた情報を、今打球しようとするゴルフボール直近に位置するディスプレイ上に画面表示し、練習者自身の思い描くスイング軌道、手首の位置、コッキングの状態、頭の位置等々を確認し、自身の目でリアルタイムにディスプレイを見ながら練習することを可能とするものである。
【０００７】
ディスプレイには、練習者自身の正面及び側面又はそのいずれかの画像が、表示されるが、電子カメラを正面及び側面にそれぞれ設置し２方向の画像を得るか、１台のみで欲する方向のみの１画像を得るかは練習者自身の選択である。
【０００８】
ディスプレイは録画機能を有し、電子カメラから得た情報を元にスローモション、ストップモーション、ノーマルモーション再生により直後の検討が可能となるよう、ディスプレイにはそれらの操作スイッチ類を前面に備える、更に事後の検討のため磁気テープ、フロッピーディスク、コンパクトディスク等の記憶媒体により情報の取出しも可能とする。
【発明の実施の形態】
以下、本発明の実施の形態を電子カメラ２台使用し、ディスプレイ上に２画面を表示するケースを図１〜図３に基づいて説明する。
【０００９】
【図１】において１及び２はゴルフ練習者を撮影する電子カメラ、３はディスプレイ、４はゴルフ練習者、５はディスプレイ直近に置かれたゴルフボール、６はゴルフクラブである。
【００１０】
以下、上記構成の動作を説明する。今、ゴルフ練習者が打球しようとする一連の動作をするところであるが、１の電子カメラは練習者の側面を、２の電子カメラはその正面を撮影している、１及び２の電子カメラで得られた画像は３のディスプレイに表示されているので、練習者は自身が欲する、ボール直近の画像をリアルタイムで見ながら打球練習する。
【００１１】
打球直後練習者がその評価をしたい場合は、
【図３】の７の操作スイッチにより画像再生をし、左右の画面を入れかえたり、正面及び側面が同時録画されている画像をスローモション、ストップモーション、ノーマルモーションで２画面を見比べたりしながら自身の更なる技術向上に役立てるのである。
【００１２】
更に、時間経過後の評価のため、練習場所以外でも再生可能とするために
【図３】ディスプレイの８から記憶媒体を取り出し持ち運び移動することもできる。
【発明の効果】
上述したように本発明のゴルフ練習装置は、練習者自身が自身の画像をリアルタイムで見ながら打球練習をすることによって、従来では得られなかった実感と実像との相違が明らかになるため、より短時間にゴルフ技術の向上が計れる。
【００１３】
更に、直後の技術検討並びに練習後、相当の時間経過後も持ち出した磁気テープ等の記憶媒体により事後の検討も可能になる。
【図面の簡単な説明】
【図１】本発明の実施形態を示す側面から見た図
【図２】同上の上面から見た図
【図３】図１の３の正面図
【図１】
2005013673.tif 000003
【図２】
2005013673.tif 000004
【図３】
2005013673.tif 000005
(57)【要約】      （修正有）【課題】幼児期から青年期における脳の発育段階に意図的に刺激を与えて能力向上を図る。大人から高齢者にいたるまでの脳の老化抑制と老化防止を図る。また、病中・病後の機能回復やピアノの練習成果向上等の特定機能を回復させたり、発達向上させる。【解決手段】指先を５個の立方体に、決められた数字及び言語を記入した駒を正確に速くタッチすることにより、脳に刺激を与え迅速正確な脳からの指令により指先を正確迅速に、しかも、簡単な物から複雑なものまで繰り替えしてタッチして、正確さ及び迅速さの向上を追求することにより、脳に刺激を与えて幼児期から青年期の発達段階にある脳の発育速度・領域・処理速度を増加させ脳の活性化と能力向上を促進させる。【選択図】図６
2005013666.tif 000002
【特許請求の範囲】
【請求項１】
本発明は、５個の材質は問わない立方体（以後駒と云う）の、個々の１面に１から５の数字を対称に２個づつ書き、３面に親指・人差し指・中指・薬指・小指に該当する言語を対称に２個づつ書いた５個の駒と駒底部の中央横一線に枕木を敷き駒の上下の端を下に押えた時に駒の端が触れ合う音を発する。
これにより、指先で指定された駒を様々に入れ替え押えることによって、脳に刺激を与えて脳細胞の活性化を図るとともに脳の発育向上を促すことにより知能向上と身体の機能回復訓練等に役立つ知育玩具と健康補助具を兼ね備えた物である
【発明の詳細な説明】
【０００１】
【発明の属する技術分野】
本発明は、５個の立方体に手の５本の指でタッチする各駒の１面には、数字の１から５までを対称に２個づつ書き入れた物を、１は親指・２は人差し指・３は中指・４は薬指、そして５は小指と決めて、横に並べた駒を番号順にタッチ・番号逆順にタッチ・右から・左からタッチ、駒を１８０度回転させて、右手左手の両方を同一条件でタッチ、また５個の駒を適宜に並べ替えて正確に速くタッチすることにより、視覚でとらえた情報を決めた指で順次タッチすることにより小脳・大脳皮質の指運動領域を刺激すると同時に、大脳の左半球の数字・言語処理領域にも刺激を与えることになる。
また、３面の言語、例えば１の３面に「お」・２の３面に「ひ」・３に「な」・４に「く」と５に「こ」等の指に該当する言語を描く面をタッチすることにより、大脳の右半球の空間・イメージ処理領域に刺激を与え、小脳及び大脳を刺激することになり頭脳全体に刺激を与える効果が期待でき、知能の発育向上と身体の機能向上に役立つ知育玩具と健康補助具を兼ね備えた物である。
【０００２】
【従来の技術】
これまでは、手の表面を刺激して握りや引く力また握力を付ける等の運動・筋肉領域の効果を目指すものやトランプ・かるた・囲碁将棋等の主に大脳の左半球の言語・記号処理領域を刺激する方に偏っていた。
【０００３】
【発明が解決しようとする課題】
本発明は、脳の発達段階にある幼児から青年期の脳に指先をある一定の規則により正確に速く動かすことにより、脳の刺激を受ける領域の拡大と刺激を受ける強弱・速度を増大させて、刺激伝達速度を速め反応時間の短縮・処理速度・判断領域の拡大を図る等、幼児から青年期の脳の大切な完成期に意図的に脳を刺激して知育・能力向上の課題を解決する。
また、脳の発育完成後、大人の脳が加齢とともに老化する中で、加齢による流動性能力の刺激伝達速度の低下、反応時間の低下、数字処理速度、言語判断領域の縮小を抑制し脳の老化防止の課題を解決しようとするものである。
視覚でとらえて、指先の触覚から脳に指先が決められた駒に正確に速くタッチして脳に伝達し、その反応領域の拡大・判定時間の短縮と指に対するタッチ指令の速度と正確さを増すことにより脳の老化を抑制・防止する効果を得ようとするものである。
【０００４】
【課題を解決するための手段】
本発明は、左右の５本の指先をタッチできる５個の駒の１面に数字の１から５を対称に２個づつ書き入れる。
同様に３面に５本の指の名称に該当する言語を対称に２個づつ書き入れて、１は親指・２は人差し指・３は中指・４は薬指・５は小指がタッチすることに決めて、数字面のみ、言語面のみ、数字言語混合等で、番号順、番号逆順・右から左から並べて等順次複雑な組み合わせで実施する。組み合わせは、数字のみで１２０通り、ひらがなのみ１２０通り、混合で３、８４０通りの組み合わせが出来る。
駒の中央下部に、上下を下に押えた時に動きと音が出るようにする為に枕木等を入れて、正確に速く押えたことを確認できるようにする。
左右の指先を使うことにより、大脳皮質の反応領域が拡がり、速度と正確さを追求することにより、反応速度や処理速度が向上する。
数字のみから、ひらがなを組み合わせて、順次複雑な組み合わせを正確に速くタッチすることで、発育段階にある脳の向上速度を増大させる課題を解決するとともに、発育完成後の脳の老化を抑制して機能回復に役立ち、老化を抑制・防止する課題を解決できる
【０００５】
【発明実施の形態】
本発明は、５個の立方体の１面に１から５の数字を対称に２個づつ記入、３面に１には親指・２には人差し指・３には中指・４には薬指・５には小指に該当する言語を対称に２個づつ記入した物を横一列に並べて、駒を適宜に置き換えて、右手・左手で正確に速くタッチする。
また、同じ物を左右に２個並べて左右両手同時にタッツチする等組み合わせを様々に変更し簡単な組み合わせから、複雑な組み合わせまで実施する。
【０００６】
【発明の効果】
（１）  一人で実施可能であり、正確さ迅速さの向上効果を目と体で確認でき、継続して実施する意欲が湧きやすい効果がある。
（２）  左右の５本の指先全部を均等にタッチするので偏りなく指の運動ができて、左右の脳（特に大脳皮質）を均等にしかも広範囲を刺激する効果がある。
（３）  速度と正確さを追求することから、脳の反応時間の短縮と処理速度の迅速化に効果がある。
（４）  簡単な組み合わせから、複雑な組み合わせまで実施することにより脳に与える刺激を増減できる。
（５）  二組を使用して、両手同時に実施できて、脳に対する刺激は複雑で広範囲になり流動性知能の老化防止と抑制の効果を増す。
（６）  病中・病後の機能回復訓練具として効果がある。
（７）  数字面のみを使用して、ピアノ上達の練習具として効果がある。
【図面の簡単な説明】
【図１】本発明の１個の立体図と面の番号
【図２】本発明の５個の１面図
【図３】本発明の５個の３面図
【図４】本発明の５個の上下側面図
【図５】本発明の左右側面図
【図６】使用状態の斜投影図（数字ひらがな混合）
【符号の説明】
１  立方体正面
２  立方体左右側面
３  立方体底面
４  立方体上下側面
５  立方体底部の枕木
【図１】
2005013666.tif 000003
【図２】
2005013666.tif 000004
【図３】
2005013666.tif 000005
【図４】
2005013666.tif 000006
【図５】
2005013666.tif 000007
【図６】
2005013666.tif 000008
(57)【要約】【課題】ソレノイドを使った遊技機用発射装置においては、発射力の調節が難しく、衝撃音を抑えることが難しかった。【解決手段】３個以上の空芯ソレノイドを同軸上に配置し、順次通電することで可動鉄芯を移動させ、鉄心の一端に設置した槌にてパチンコ玉を打撃して発射する装置。【選択図】図１
2005013669.tif 000002
【特許請求の範囲】
【請求項１】
３個以上のソレノイドコイルを同一軸上に配置し、ソレノイドコイルに順次通電することにより、鉄心を駆動し、鉄心先端に取付けた槌によりパチンコ玉を打ち出す発射装置。
【発明の詳細な説明】
【０００１】３個以上の中空軸ソレノイドコイルを同一軸上に配置し、軸上に配置した可動鉄心をソレノイドコイルに順次通電することにより、駆動し、順次加速し、鉄心先端に取付けた鎚によりパチンコ玉を打ち出す装置。
【０００２】
【発明の属する技術分野】
弾球遊技機の発射装置。
【０００３】
【従来の技術】
ソレノイドコイルに電流を流し、プランジャー鉄心の吸引力によってパチンコ玉を打ち出す技術が公知であった。
【０００４】
【発明が解決しようとする課題】
第１図においてソレノイドプランジャーは磁気回路の固定鉄心１１と可動鉄心１２の吸着により力を発生し、固定鉄心１１と可動鉄心１２の間隔が広いときは力が弱く、吸着する瞬間が一番力が強くなる特性をもっており、プランジャーの作動距離を長くすると力が低下してしまう為、吸着する瞬間にパチンコ玉１６を打撃する構造になっていた。
プランジャーの初期位置はスプリング１３により打撃位置から引き離した位置に保持されている。
【０００５】コイル１４に通電することにより可動鉄心１２はスプリング１３を押し縮めながら固定鉄心１２に向かい移動し吸着され、可動鉄心１２に一体となった槌１５によりパチンコ玉１６を打ち出す。
【０００６】ソレノイドにはスプリング１５を縮める仕事とパチンコ玉１６を打つ仕事の和の分の電力を供給する必要がある。
パチンコ玉１６を槌１５が打撃する時と可動鉄心１２が固定鉄心１１と衝突するときとが同期する必要がある。
パチンコ玉１６を槌１５が打つポイントが狙いより短いと打つことは出来ず、長すぎると打つ力が不足する欠点があった。
【０００７】また打撃力を調節することは電流の調整で可能であったが、スプリング１３を押し縮める力が一定量必要のため調節し難かった。
【０００８】
【課題を解決するための手段】
３個以上のソレノイドコイルを同軸上に並置して配置し、中空の軸内を可動鉄心が移動する構造であり、一端のコイルから順次、隣のコイルに通電を切り替えて行き、鉄心を移動させ、鉄心と一体に設置した槌の先端にてパチンコ玉を打撃することでパチンコ玉を発射する装置
【０００９】
【発明の実施の形態】
図１において、コイル１、コイル２、コイル３はコイル中心が空洞のコイルで同軸上に配置してあり、鉄心４の一端に非磁性の材質で出来た槌５がついている。
【００１０】コイル２に通電すると、鉄心４はコイル２に引き込まれる力が発生し、移動を開始する。
【００１１】鉄心４がコイル２に引き込まれたら、コイル２の通電を切り、コイル３に通電すると鉄心４はコイル３に引き込まれる。
【００１２】鉄心４の中心がコイル３の中心に来たとき槌５はパチンコ玉６と衝突する。
【００１３】衝突により鉄心４の運動エネルギーはパチンコ玉６に渡りパチンコ玉６が発射される。
コイル２に通電することで鉄心はコイル２の位置へ移動する。
鉄心がコイル２の位置に来たとき、コイル２の電流を断ち、コイル１に通電すると鉄心はコイル１の位置に戻る。
こうして鉄心４はスプリングを使わず、初期位置に戻り、次の発射に備える。
【００１４】
【実施例】
図２においてコイル２、３に順じ電流を切り替えて鉄心４を動かし槌５でパチンコ玉６を打撃し発射する。
【００１５】
【発明の効果】
鉄心４の移動に当たり、鉄心４の動きを妨げるスプリングが無いので、スプリングを押し縮める必要がなく、鉄心４の移動にだけ電力が費やされる。鉄心の中心がコイル中心の位置に重なるように励磁され引き込まれるので、コイルの通電を切り替えることで鉄心を自由に往復運動でき、このときの力は通電電流により調節できる。
パチンコ玉６と槌５以外に衝突する所が無いので衝撃音が少なく、動作音が静かである。
【００１６】コイルの個数を更に増やせば、鉄心の移動距離を増すこともできる。
【００１７】鉄心の移動は２段階以上の加減速が可能となりパチンコ玉の打撃力の電気的調節が容易である。
【図面の簡単な説明】
【図１】本考案の発射装置
【図２】本考案の発射装置のパチンコ玉発射の状態図
【図３】従来のプランジャーを使用した発射装置
【符号の説明】
図１、図２
１…コイル１
１ａ，１ｂ…コイル１端末
２…コイル２
２ａ，２ｂ…コイル２端末
３…コイル３
３ａ，３ｂ…コイル３端末
４…鉄心
５…槌
６…パチンコ玉
７…発射筒
図３
１１…固定鉄心
１２…可動鉄心
１３…スプリング
１４…コイル
１４ａ，１４ｂ…コイル１４端末
１５…槌
１６…パチンコ玉
【図１】
2005013669.tif 000003
【図２】
2005013669.tif 000004
【図３】
2005013669.tif 000005
(57)【要約】      （修正有）【課題】大人用紙パンツに、服の上から目視できる、色変化テープまたはランプが点灯することで、本人、介護、介助する者が排泄の有無を確認できる状況を提供する。【解決の手段】下記２種類の手段により本目的を達成する。(1) 紙オムツ鬧部分、又は前部分、又は後部分に通水パイプと吸水糸を付け、紙オムツの外側に色変化の確認できる紙テープが出るようにする。(2) 紙オムツ鬧部分、又は前部分、又は後部分に通水パイプと吸水糸、配線コードを付け、紙オムツの外側に確認できるランプげ出るようにする。【選択図】  図１
2005013668.tif 000002
【特許請求の範囲】
【請求項１】
排泄状態をズボン、スカートの上から確認できる紙パンツ。
【請求項２】
胴回りに確認テープを出す紙パンツ。
【請求項３】
胴回りに確認ランプを出す紙パンツ。
【請求項４】
排泄を感知し外に出ているテープの色が変わる。
【請求項５】
排泄を感知し外に出ているランプが配線コード、電源を使い点灯する。
【請求項６】
排泄を感知し外に出ているランプが無線電波で点灯する。
【請求項７】
通水パイプと吸収糸を使い、コイル状、波状構成する。
【発明の詳細な説明】
プライドを傷つけずに介護ができ、清潔で気持ちの良い日常生活を過す事ができる。
【０００１】
【発明の属する技術分野】
本発明は病気で紙オムツを使用し、尿意のない人、意思表示のできない人でも、ズボン、スカートの上から排泄確認できる事で、安心して衛生的に日常生活ができる。
【０００２】
【従来の技術】
トイレへ誘導する際に、本人へ確認するがプライドを傷つけられて嫌がる人も多い。
【０００３】
排泄のない人へも結果として、何回もトイレ誘導することになり、排泄の有無に関らずトイレへの誘導に拒否反応をするようになる。
【０００４】
【解決しようとする課題】
紙パンツの確認テープの色変化により、排尿確認が簡単に目視できるので、より良い介護介助ができる。
【０００５】
紙パンツの確認ランプの点灯により、排泄確認が簡単に目視できるので、より良い介護介助ができる。
【０００６】
【課題を解決する為の手段】
紙オムツ内に通水パイプを使用し、紙パンツの外に色変化テープを付け、確認できる。
【０００７】
紙オムツ内に通水パイプを使用し、紙パンツの外に点灯ランプを付け、確認できる。
【０００８】
【発明の実施の形態】
紙オムツ脇部分、又は前部分、又は後部分に通水パイプと吸収糸を付け、紙オムツの外側に色変化の確認できる紙テープが出るようにする。
【０００９】
紙オムツ脇部分、又は前部分、又は後部分に通水パイプと吸収糸、配線コードを付け、紙オムツの外側に確認できるランプが出るようにする。
【００１０】
【実施例】
図面、〔図１，４，５，６，７，８，９〕は各▲１▼の吸着シート、又はオムツを接着し排泄を感知する。
【００１１】
図面、〔図１，４，９〕は各▲１▼から湿気反応で▲２▼のテープは色変化をする。
【００１２】
図面、〔図５，６〕は各▲１▼から湿気反応で▲２▼のランプが点灯する。
【００１３】
図面、〔図７，８〕は各▲１▼から湿気反応で▲２▼は無線でランプが点灯する。
【００１４】
【効果】
〔図１〕を〔図９〕の用に接着することで、日常生活を清潔に衛生的に、プライドを傷つけられず過すことができる。
【図面の簡単な説明】
【図１】のテープは通水パイプより湿気反応用紙を使用。
【図２】図１の横断面図
【図３】図１の各部位の断面図
【図４】図１を、紙オムツに付けた図
【図５】図１に、配線と電源を使用し、ランプが、点灯する図
【図６】図１を、紙オムツに、配線と電源を使用し、ランプが点灯する図
【図７】図１に、配線と電源を使用し、無線でランプが点灯する図
【図８】図１を紙オムツに配線と電源を使用し、無線でランプが点灯する図
【図９】図１を、紙オムツに、付けた図
【図１】
2005013668.tif 000003
【図２】
2005013668.tif 000004
【図３】
2005013668.tif 000005
【図４】
2005013668.tif 000006
【図５】
2005013668.tif 000007
【図６】
2005013668.tif 000008
【図７】
2005013668.tif 000009
【図８】
2005013668.tif 000010
【図９】
2005013668.tif 000011
(57)【要約】【課題】弁当箱の裏面を同寸法のゲーム盤にして、食後のひとときに弁当箱を裏返して遊ぶゲーム付き弁当箱である。ゲーム盤は多種類にわたる。従来、コンビニ弁当、駅弁等の弁当箱は、食後そのまま廃棄処分するだけのものであり、家庭において反復使用される弁当箱は、食べ物を入れる役割しか持たなかった。【解決手段】これらの弁当箱の裏面にゲーム盤を取り付けることにより、食後に家族や職場の仲間とゲームで遊ぶことができ、廃棄処分されていた弁当箱はゲームを収集する楽しみを併せ持つため廃棄せず済む。家庭用の弁当箱のゲーム盤は、はめ込み式にし、ゲーム盤のみを購入すれば、一つの弁当箱で多種類のゲームに対応できる。【選択図】  図１
2005013665.tif 000002
【特許請求の範囲】
【請求項１】
弁当箱の裏面を同寸法のゲーム盤にして、食後のひとときに弁当箱を裏返して遊ぶ。
【発明の詳細な説明】
【０００１】
【技術分野】
本発明は、ゲーム付き弁当箱に関するものである。弁当箱は多岐に対応でき、ゲームも多種類にわたる。
【０００２】
【背景技術】
従来、コンビニ弁当、駅弁等の弁当箱は、食べた後そのまま廃棄処分するだけのものだった。家庭において反復使用される弁当箱も食べ物を入れる役割しか持たなかった。
【０００３】
【発明が解決しようとする課題】
本発明は、弁当箱の裏面にゲームを取り付け、食後のひとときに弁当を裏返して遊べる楽しさを持つものであり、また、ゲームは多種類にわたることから収集する楽しみを併せ持つ。家庭において反復使用される弁当箱については、ゲーム盤をはめ込み式にして、多種類のゲームを収集し楽しむことができる。
【０００４】
【課題を解決するための手段】
本発明は、弁当箱裏面に同寸法のゲーム盤を取り付ける。
【０００５】
【発明の効果】
本発明は、食後のひとときに遊べる楽しさを持つものであるが、それ以外にも従来、廃棄処分されるだけだった弁当箱を自宅へ持ち帰ろうという意識改革へつながり、また、ゲームは多種類にわたることから収集する楽しみを併せ持つ。家庭において反復使用される弁当箱については、ゲーム盤をはめ込み式にして、ゲーム盤のみを買い足して収集し、多種類のゲームを楽しむことができる。
【０００６】
【実施例】
弁当箱（図２）裏面にゲーム（図１）を取り付ける。
【０００７】
【産業上の利用可能性】
毎日コンビニ弁当等、使い捨ての弁当箱が大量にゴミとして捨てられるが、本発明のゲーム付き弁当箱により、多少でも環境問題に寄与することができる。また、駅弁等、従来から弁当の中身が見えないものとコンビニ弁当のように弁当の中身が見えるものとで蓋の透明、不透明は対応する。ＯＬ等、会社に弁当を作って持って行く場合にもゲームの種類を変えられることから、昼休みのひとときを仲間と楽しむことができる。
【図面の簡単な説明】
【図１】本発明の弁当箱用ゲーム例である（弁当箱の底面になる）
【図２】本発明の弁当箱本体である
【図３】本発明の弁当箱の蓋である
【図４】本発明の完成図である（裏面がゲーム盤になる）
【図１】
2005013665.tif 000003
【図２】
2005013665.tif 000004
【図３】
2005013665.tif 000005
【図４】
2005013665.tif 000006
(57)【要約】【目的】モールド成形しその表面に凹部を有する発泡体製パッドに表皮材を接着して形成する車両用シートにおいて、パッドの凹部内に接着した部分の表皮材の剥離を防止することである。【構成】パッド１の凹部Ａ内に、微細な凹凸１１を設け、この凹部Ａ内に表皮材２を加圧して接着することを特徴とする。【選択図】        図４
2005013641.tif 000002
【特許請求の範囲】
【請求項１】
モールド成形しその表面に凹部を有する発泡体製パッドに、表皮材を接着して形成する車両用シートにおいて、
前記パッドの凹部内に、微細な凹凸を設けて、前記表皮材を凹部内に加圧して接着してなることを特徴とする車両用シート。
【請求項２】
前記凹凸は前記パッドの発泡成形時に同時に成形した小凹凸又は波形状の凹凸である請求項１記載の車両用シート。
【請求項３】
前記表皮材をパッドの凹部に加圧する金型の凸起表面は、平滑面に形成してなる請求項１記載の車両用シート。
【発明の詳細な説明】
【０００１】
【発明の属する技術分野】
本発明は、自動車用シートなどの車両用シートに関する。
【０００２】
【従来の技術】
例えば、自動車用シートのシートクッションには、略シートクッションの外形形状にモールド成形した発泡体製パッドに、表皮材を接着して形成した、いわゆる接着シートがある。
【０００３】
この接着シートの外観品質を向上させるために、シートの着座面などに、凹溝などの装飾用の凹みを設けたものがある。
【０００４】
この装飾用の凹みは、あらかじめパッドを発泡成形する際にモールドに凹部形成用の凸部を設けてパッドの表面に凹部を成形した後、この凹部内に表皮材を喰い込ませて接着することにより形成している［特許文献１参照］。
【０００５】
［特許文献１］  特開２０００ー１８９２７２号公報
【０００６】
【発明が解決しようとする課題】
以上のように表皮材をパッドに圧着し、パッドの凹部内に表皮材の一部を喰い込ませて接着すると、凹部内に喰い込ませて接着した部分の表皮材が、パッドの凹部から剥れる不具合があった。
【０００７】
これは、図５、図６に示すように、パッドをモールド成形した際、パッド１の表面１０側に設けた凹部Ａ内の表面に形成されたスキン（皮膜）１００が、パッド１から剥離されるため、このパッド１の凹部Ａ内に喰い込ませて接着した部分の表皮材が、シートクッションの使用によって剥れるためである。
【０００８】
そこで、本発明は前述の如く、表面に凹部を有する発泡体製パッドに、表皮材を接着して、表面に装飾用の凹みを形成する車両用シートにおいて、装飾用の凹みを形成する部分の表皮材の剥離を防止することを目的とする。
【０００９】
【課題を解決するための手段】
以上の目的を達成するための本発明に係る車両用シートは、前記パッドの凹部内に、微細な凹凸を設けて、前記表皮材を凹部内に加圧して接着してなることを特徴とする構成である。
【００１０】
以上の構成により、パッドの凹部内における表面面積が大になり、表皮材のパッドの凹部に対する接着力が安定且つ増大する。
【００１１】
また、微細な凹凸は、パッドのモールド成形時に、凹部と共に同時に成形することにより、前記スキンが減るため、表皮材の剥離を防止することができる。
【００１２】
【発明の実施の形態】
以下、本発明の実施の一形態を、図１乃至図４に基づいて説明する。
図１はモールド成形した発泡体（ウレタンフォームなど）製のパッド１を示し、図示するパッド１はシートクッションの略外形形状にモールド成形したもので、その着座面側の表面１０には凹部Ａがモールドでのパッド１の成形時に同時に成形される。
【００１３】
図示する凹部Ａは、平面横長惰円状に形成されているが、角形、円形、星形などその平面形状は任意である。
【００１４】
そして、この凹部Ａ内には微細な凹凸１１が全面又は少なくとも底面に設けてあり、凹凸１１は前記凹部Ａ成形時に同時にパッド成形用のモールドで成形する。
【００１５】
微細な凹凸は図２、図３に示すように、鋸歯状のものでもよいが、梨地状などの小凹凸又は波形状の小凹凸のものでも良い。
【００１６】
従って、この微細な凹凸１１がパッド１の凹部Ａ内に成形されるように、モールドの凹部形成部に、微細な凹凸があらかじめ形成されている。
【００１７】
この微細な凹凸１１をパッド１の凹部Ａに形成できるように、パッドをモールドで発泡成形することにより、発泡成形されたパッド１の凹部Ａ内に、スキン（皮膜）が前記従来品に比べ著しく少なくなる。
【００１８】
なお、パッド１は車両用シートに使用される従来のパッドと同一の例えばウレタンフォームなどで発泡成形する。
【００１９】
図４に示すように、以上のパッド１の表面１０に接着剤４を塗布した後、表皮材２を金型３で押圧してパッド１に接着する。
【００２０】
表皮材２は従来、自動車用シートに使用されている織布、不織布、皮革（人造又は動物）又は、これの裏面にスラブウレタンフォームを一体に有するものである。
【００２１】
以上の金型３におけるパッド１の凹部Ａに対応する部分には凸起３０が設けてあり、この凸起３０の外面は凹部Ａの内面と同一又はそれ以上の大きさに形成され、凸起３０の表面３０Ａは平滑面に成形されている。
【００２２】
この金型３の凸起３０で表皮材２を押圧してパッド１の凹部Ａ内に喰い込ませて接着する。これにより、着座面に装飾用の凹み（不図示）を有するシートクッションが形成される。
【００２３】
なお、以上のパッド１の凹部Ａ内への表皮材２の接着時に、同時に凹部Ａ以外の接着剤４を塗布したパッド１の表面１０に表皮材２を金型３で加圧して接着する。
【００２４】
【発明の効果】
本請求項１の発明によれば、表皮材をパッドの凹部内に加圧して接着した際、パッドの凹部内に設けた微細な凹凸により、凹部内における表皮材に対する接着面積が増大する。従って、表皮材のパッドの凹部内における接着力が大になり、表皮材のパッドの凹部内からの剥離を防止できる。
【００２５】
本請求項２の発明によれば、パッドをモールドで発泡成形した際、パッドの凹部内にスキンが発生し難いため、パッドの凹部内の表皮材の接着性が向上すると共に表皮材のパッドの凹部内から剥離を防止できる。
【００２６】
本請求項３の発明によれば、表皮材をパッドの凹部内に押圧して接着する際に、パッドの凹部内に設けた微細な凹凸の凹部が拡開して表皮材を接着する。そのため、表皮材のパッドに対する接着が大になり、表皮材がパッドの凹部内から剥離することがない。
【図面の簡単な説明】
【図１】本発明に使用するパッドの斜視図である。
【図２】図１のＩＩーＩＩ線断面図である。
【図３】図１のＩＩＩーＩＩＩ線断面図である。
【図４】図１に示すパッドに表皮材を接着する状態を示す部分拡大断面図である。
【図５】従来品のパッドの斜視図である。
【図６】図５のＶＩーＶＩ線断面図である。
【符号の説明】
１      パッド
２      表皮材
３      金型
１０      パッドの表面
１１      微細な凹凸
Ａ      パッドの凹部
【図１】
2005013641.tif 000003
【図２】
2005013641.tif 000004
【図３】
2005013641.tif 000005
【図４】
2005013641.tif 000006
【図５】
2005013641.tif 000007
【図６】
2005013641.tif 000008